(57)【要約】【課題】靭性、透明性、加工性、二次加工性、経済性及び生分解性に優れた脂肪族芳香族ポリエステルの持つ梱包素材としての利点を享有しつつ、組立が簡単で、組立後の強度を向上することができる通い箱を提供する。【解決手段】底板部１と複数の側板部２を構成するプラスチック段ボール製のパネルを箱形に組み立てた本体と、互いに隣接する２つの側板部２，２により形成される本体の隅部に差し込まれて２つの側板部２，２及び底板部１の間を固定するコーナー部と、を備える通い箱である。コーナー部は、枠部材４及びコーナー部材６から形成され、且つ、底板部１、側板部２、枠部材４及びコーナー部材６は、脂肪族芳香族ポリエステルで形成されている。【選択図】  図１
2004189280.tif 000002
【特許請求の範囲】
【請求項１】
底板部と複数の側板部を構成するプラスチック段ボール製のパネルを箱形に組み立てた本体と、
互いに隣接する２つの側板部により形成される本体の隅部に差し込まれて２つの側板部及び／又は底板部の間を固定するコーナー部と、
を備える通い箱であって、
コーナー部が、コーナー部材及び／又は枠部材から形成され、且つ、底板部、側板部、枠部材及びコーナ部材が、脂肪族芳香族ポリエステルで形成されていることを特徴とする通い箱。
【請求項２】
コーナー部材が、該パネル又は該枠部材の位置決め・固定と、該コーナー部を保護・補強するものである請求項１に記載の通い箱。
【請求項３】
枠部材が、該パネルの位置決め・固定と、該パネル及び／又は該コーナー部を保護・補強するものである請求項１又は２に記載の通い箱。
【発明の詳細な説明】
【０００１】
【発明の属する技術分野】
本発明は、軽量、高強度で環境に優しい通い箱に関する。
【０００２】
【従来の技術】
現在、搬送や移送等に繰り返し用いられる通い箱としては、従来の段ボール製のものから、所定強度を備えた折り畳み構造を有するプラスチック製及びプラスチック段ボール製の通い箱が主に用いられている。
【０００３】
しかしながら、プラスチック製の通い箱は、強度はあるが成型コストや金型代が高く、多品種・少量生産に適さないため、顧客のニーズにきめ細かく対応することができなかった。
また、プラスチック製の通い箱は、箱自体が相当重くなるため、その分輸送コストが無駄に高くなり、且つ、荷物の積み卸し作業の負担が大きいという問題点があった。
【０００４】
これらの問題点を解消するため、軽量且つ強度に優れたプラスチック段ボール製の通い箱が使用されている。
上記通い箱は、通常、組立式や折り畳み式であり、例えば、図１〜３に示すように、プラスチック段ボール製のパネルからなる底板部と複数の側板部とを有し箱形に組み立てられる本体と、互いに隣接する２つの側板部により形成される本体の隅部に差し込まれて２つの側板部及び／又は底板部の間を固定するコーナー部とを備えたものである。
【０００５】
しかしながら、このプラスチック段ボール製のパネルを通い箱として組立てる場合には、その素材の性質上、従来の紙製段ボール箱と類似する構造が採用されていたため、組立方法が難しく、メタルステッチャ、金属製リベットなどの固定手段や、コーナ部の補強フレームなどの他の素材との複合化はさけられず、また、パネルそのものの強度は高いに関わらず、コーナ部などの接合強度不足により、製箱後の全体強度が低下することが避けられなかった。
【０００６】
現在、上記コーナー部には、例えば、アルミニウム又はアルミニウム合金の異形引抜き品やＰＰ（ポリプロピレン）の異形押出し品が用いられている。
しかしながら、上記コーナー部がアルミニウム又はアルミニウム合金の場合、他の金属に較べて軽量であるとはいえ、プラスチックと較べるとやはり重く、また、リサイクルや廃棄処理の時、分別が必要であった。
一方、上記コーナ部がＰＰ（ポリプロピレン）の場合、他のプラスチックと較べて発泡倍率が比較的低く、剛性を有するとはいえ、耐衝撃強度が不十分であった。
【０００７】
【発明が解決しようとする課題】
本発明は、このような従来技術の有する課題に鑑みてなされたものであり、その目的とするところは、靭性、透明性、加工性、二次加工性、経済性及び生分解性に優れた脂肪族芳香族ポリエステルの持つ梱包素材としての利点を享有しつつ、組立が簡単で、組立後の強度を向上することができる通い箱を提供することにある。
【０００８】
【課題を解決するための手段】
すなわち、本発明によれば、プラスチック段ボール製のパネルからなる底板部と複数の側板部とを有し箱形に組み立てられる本体と、互いに隣接する２つの側板部により形成される本体の隅部に差し込まれて２つの側板部及び／又は底板部の間を固定するコーナー部と、を備える通い箱であって、コーナー部が、コーナー部材及び／又は枠部材から形成され、且つ、底板部、側板部、枠部材及びコーナ部材が、脂肪族芳香族ポリエステルで形成されていることを特徴とする通い箱が提供される。
【０００９】
このとき、本発明では、コーナー部材が、パネル又は枠部材の位置決め・固定と、コーナー部を保護・補強するものであることが好ましい。
【００１０】
また、本発明では、枠部材が、パネルの位置決め・固定と、パネル及び／又はコーナー部を保護・補強するものであることが好ましい。
【００１１】
【発明の実施の形態】
以下、本発明の実施の形態を図面に基づいて更に詳細に説明する。
図１は本発明の通い箱の一例を示す概略斜視図である。
本発明の通い箱は、図１に示すように、底板部１と複数の側板部２を構成するプラスチック段ボール製のパネルを箱形に組み立てた本体と、互いに隣接する２つの側板部２，２により形成される本体の隅部に差し込まれて２つの側板部２，２及び底板部１の間を固定するコーナー部と、を備える通い箱であって、コーナー部が、枠部材４及びコーナー部材６から形成され、且つ、底板部１、側板部２、枠部材４及びコーナー部材６が、脂肪族芳香族ポリエステルで形成されてなるものである。
【００１２】
これにより、本発明の通い箱は、軽量で、衝撃に強く、高い強度と優れた耐久性及びリサイクル性を実現するとともに、金型や木型代が不要であるため安価で、ロットやサイズにかかわらず自由設計が可能であり、ユーザサイドでも組立及び分解が容易である。
【００１３】
尚、図１に示す通い箱は、枠部材４とコーナー部材６を組み合わせた骨格構造に、底板部１及び側板部２を固定しているが、これに限定されるものではなく、図２に示すように、枠部材５だけで骨格構造を形成したものであってもよく、また、図３に示すように、底板部１及び側板部２を、直接、コーナ部材７で位置決め・固定したものであってもよい。
【００１４】
ここで、本発明の通い箱の主な特徴は、底板部１と複数の側板部２を構成するプラスチック段ボール製のパネル、枠部材４，５及びコーナー部材６，７が、芳脂肪族芳香族ポリエステルで形成されていることにある。
これにより、アルミニウム又はアルミニウム合金の異形引抜き品やＰＰ（ポリプロピレン）の異形押出し品と比較して、軽量且つ耐衝撃性も十分有するだけでなく、リサイクルや廃棄処理の時、分別が不要である。
【００１５】
尚、本発明で用いる脂肪族芳香族ポリエステルは、生分解性のある脂肪族ポリエステルに、ガスバリア性や耐熱性などの性能改良のため、芳香族成分を主鎖に導入したコポリエステル（例えば、「Ｐｒｏｖｉｓｔａコポリマー」［イーストマンケミカル社製］等）であることが好ましい。
このコポリエステルは、ストレス白化がなく、透明性と光沢性に優れているため、例えば、異形製品を通してバーコードをスキャナーで簡単に読みとることができるとともに、高強度且つ柔軟性に富んでいるため、製品の長寿命化に寄与することができる。
また、上記コポリエステルは、高い溶融粘度があり、押し出し成形を容易にできるだけでなく、押出しスピードと吐出量を高く設定することができるため、加工性に優れており、押し出し成形後の切断、折り曲げ、穴開け、接着加工が容易であるため、二次加工性にも優れている。
更に、上記コポリエステルは、優れた耐水性及び耐薬品性を有するため、外観の良さと優れた性能を持続することができ、最終エンドユーザに至るまでのすべての過程でのコストダウンが可能であるため、経済性に優れている。
更にまた、上記コポリエステルは、可塑剤、ハロゲン系化合物を含んでいないため、焼却しても有害物質が発生することなく、生分解性も良好であるため、環境に優しい材料である。
【００１６】
【発明の効果】
以上説明した通り、本発明の通い箱は、靭性、透明性、加工性、二次加工性、経済性及び生分解性に優れた脂肪族芳香族ポリエステルの持つ梱包素材としての利点を享有しつつ、組立が簡単で、組立後の強度を向上することができる。
【図面の簡単な説明】
【図１】通い箱の一例を示す概略斜視図である。
【図２】通い箱の他の例を示す概略斜視図である。
【図３】通い箱の別の例を示す概略斜視図である。
【符号の説明】
１…底板部、
２…側板部、
４，５…枠部材、
６，７…コーナー部材、
１０…通い箱。
【図１】
2004189280.tif 000003
【図２】
2004189280.tif 000004
【図３】
2004189280.tif 000005